(57)【要約】【課題】作動中に発生する射出成形機の振動、撓み、傾きなどを抑制し、射出成形機の大型化やハイサイクル化に対応できる射出成形機を提供すること。【解決手段】型締機構の駆動源側又は射出側に配置され、下端がベース８０に固定されて互いに対向し合う垂直フレーム９１と、該垂直フレーム９１の上部から固定プラテン７０に向け横方向に延設され、前記固定プラテン７０の上部に固定される水平フレーム９２と、からなる固定用フレーム９０が形成されてなることを特徴とする射出成形機。この発明において、型締機構をトグル機構７５としても良い。また、垂直フレーム９１を４本形成し、射出成形機の幅方向の両側に各々配置される２本の垂直フレーム９１間にウエブ９４を形成しても良い。【選択図】図１
2005014452.tif 000002
【特許請求の範囲】
【請求項１】
型締機構の駆動源側又は射出側に配置され、下端がベースに固定されて互いに対向し合う垂直フレームと、該垂直フレームの上部から固定プラテンに向け横方向に延設され、前記固定プラテンの上部に固定される水平フレームと、からなる固定用フレームが形成されてなることを特徴とする射出成形機。
【請求項２】
型締機構がトグル機構であることを特徴とする請求項１に記載の射出成形機。
【請求項３】
４本の垂直フレームが形成され、射出成形機の幅方向の両側に各々配置される２本の垂直フレーム間にウエブが形成されてなることを特徴とする請求項１又は請求項２に記載の射出成形機。
【請求項４】
垂直フレームが、型締機構の駆動源側に配置されてなることを特徴とする請求項１〜請求項３のいずれかに記載の射出成形機。
【発明の詳細な説明】
【０００１】
【発明の属する技術分野】
本発明は、射出成形機に関し、詳細には、動作中に発生する振動、撓み、傾きなどを抑制できる射出成形機に関する。
【０００２】
【従来の技術】
従来、射出成形機は、型締機構がトグル機構であるトグル式射出成形機（特許文献１参照）と油圧機構である油圧式射出成形機（特許文献２参照）がある。トグル式型射出成形機５０は、通常、図４に示すように、ベース２０に固定される固定プラテン１０と、タイバ１２を介して進退可能な可動プラテン１１と、可動プラテン１１を進退させるトグル機構１５と、トグル機構１５を作動させるトグル作動プレート１６と、駆動源２１を支持するクランプシリンダプレート１７とを備え、トグル機構１５により可動プラテン１１を進退させ、可動プラテン１１と固定プラテン１０にそれぞれ取着された金型２５の型閉じと型開きをさせるものである。また、油圧式射出成形機６０は、図５に示すように、ベース４０に固定される固定プラテン３０と、タイバ３２を介して進退可能な可動プラテン３１と、可動プラテン３１を進退させる油圧機構４１と、油圧機構４１を支持するリアプラテン３３とを備え、可動プラテン３１の進退により可動プラテン３１と固定プラテン３０とにそれぞれ取着された金型４５の型閉じと型開きをさせるものである。
近年、このような射出成形機は、成形品の量産化に対応するために大型化が進められている。また、量産性の要請から射出成形機のハイサイクル化も進められている。
【０００３】
【特許文献１】特開２００１−２３９５６３号公報
【特許文献２】特開平１１−１５６８９８号公報
【０００４】
【発明が解決しようとする課題】
しかし、射出成形機の大型化やハイサイクル化に伴い、駆動源により駆動力や該駆動力に対する反力により射出成形機の振動、撓みあるいは傾きなどが発生し易くなり、射出成形機や金型の寿命、あるいは成形品の歩留まりに影響を与えることもあった。また、メンテナンス上の利便性より、トグル式射出成形機ではクランプシリンダプレートが、油圧式射出成形機ではリアプラテンがそれぞれベースに固定されずに構成されることがあり、射出成形機の振動、撓み、傾きなどによりこれらの振動などが大きくなるということがあった。
この問題に対し、従来、ベースの強度を高めたり、固定プラテンの厚みを強化するなど射出成形機の剛性を高める方策が採られていたが、これにより射出成形機が重くなりすぎたり大きくなりすぎるという問題があった。また、この方策自体にも限界があり、射出成形機の振動、撓み、傾きなどを十分には抑制できないという問題があった。
【０００５】
本発明は、上記事情に基づきなされたものであり、作動中に発生する射出成形機の振動、撓み、傾きなどを抑制し、射出成形機の大型化やハイサイクル化に対応できる射出成形機を提供することを課題とする。
【０００６】
【課題を解決するための手段】
本発明者らは、上記課題を解決するために、鋭意検討を重ねた結果、本発明を完成するに至った。
すなわち、本発明は、型締機構の駆動源側又は射出側に配置され、下端がベースに固定されて互いに対向し合う垂直フレームと、該垂直フレームの上部から固定プラテンに向け横方向に延設され、前記固定プラテンの上部に固定される水平フレームと、からなる固定用フレームが形成されてなることを特徴とする射出成形機を要旨とする。
【０００７】
上記構成の発明によれば、固定用フレームによりベースと固定プラテン間が固定されるので、射出成形機に発生する振動、撓み、傾きなどを抑制できる。
【０００８】
上記の発明において、型締機構はトグル機構であっても良い。また、４本の垂直フレームを形成し、射出成形機の幅方向の両側に各々配置される２本の垂直フレーム間にウエブが形成しても良い。ウエブにより、固定フレームの強度を高めることができる。また、垂直フレームを型締機構の駆動源側に配置しても良い。
【０００９】
【発明の実施の形態】
以下、図面を参照しながら、本発明を実施の形態により詳細に説明する。図１は、本実施形態の射出成形機１００の正面図である。図２は、固定プラテン７０側の側面図である。また、図３は、射出成形機１００の平面図である。以下、トグル機構７５の駆動源側に垂直フレーム９１が配置される射出成形機１００について説明する。
【００１０】
固定型８６が取着される固定プラテン７０は、その下端がベース８０に固定されている。また、可動型８５が取着される可動プラテン７１は、対向して配置される４本のタイバ７２を介して前進、後退が可能となっている。タイバ７２の両端は、ダイバナット７３により固定プラテン７０とクランプシリンダプレート７７にそれぞれ固定されている。
【００１１】
型締機構は、公知のトグル機構７５が採用されている。すなわち、クランプシリンダ７８と繋がるトグル作動プレート７６の前後動によりトグル機構７５の一端が固着される可動プラテン７１を前進あるいは後退させ、金型８５、８６の型閉じ、型開きを可能とする。
【００１２】
クランプシリンダプレート７７の中央部には、ピストンロッド７９が貫設されている。このクランプシリンダプレート７７は、メンテナンスの利便性などのためベース８０に固定されず載置されている。
【００１３】
ベース８０上には、４本の垂直フレーム９１と２本の水平フレーム９２とからなる固定用フレーム９０が形成されている。垂直フレーム９１は、クランプシリンダプレート７７を取り囲むように対向配置され、それぞれの下端はベース８０に固定されている。また、幅方向に対向する各垂直フレーム９１間は、補助フレーム９３で連結されている。水平フレーム９２は、垂直フレーム９１の上部から固定プラテン７０に向け横方向に延設され、図１〜図３に示すように先端部が固定プラテン７０の上部に固定されている。また、射出成形機１００の幅方向の両側に各々配置される２本の垂直フレーム９１間には棒状の４本のウエブ９４が形成されている。各ウエブ９４の一端は中央の連結板９５に固定され、他端は垂直フレーム９１の上下にそれぞれ固定され、４本のウエブ９４はＸ字状をなしトラス構造を形成している。
【００１４】
本実施形態の射出成形機１００は、上記のように固定用フレーム９０が三次元的に形成されているので、射出成形機１００の振動、撓み、傾きなどを抑制できる。すなわち、垂直フレーム９１はベース８０に固定され、水平フレーム９２の先端部は固定プラテン７０に固定されているので、射出成形機１００を固定させることができ、駆動力により可動プラテン７１が進退し、また駆動力に対する反力に抗することが可能となる。特に、本実施形態の射出成形機１００のようにクランプシリンダプレート７７がベース８０に固定されない場合には、より効果的に射出成形機１００に振動、撓み、傾きなどの発生を抑制できる。
【００１５】
本発明は、その技術的範囲に包含される限り、種々形態を変更して具体化できるので、以下に例示する。
（１）本発明の射出成形機は、型締機構がトグル機構に限定されるものではなく、油圧機構を型締機構として備える油圧式射出成形機に適用することもできる。
（２）垂直フレームは、型締機構の射出側に配置しても良い。
（３）垂直フレームは、４本に限定されるものではなく、例えば、幅方向の両側に３本以上、幅方向に３本以上形成しても良い。
【００１６】
【発明の効果】
本発明は、上記のように構成されるため、以下の効果を奏することができる。
本発明の射出成形機は、固定用フレームが形成されているので、射出成形機の振動、撓み、傾きなどの発生を抑制でき、特に射出成形機の大型化やハイサイクル化に伴う振動、撓み、傾きなどの問題を解消できる。
【図面の簡単な説明】
【図１】本実施形態に係る射出成形機の正面図である。
【図２】本実施形態に係る射出成形機の固定プラテン側の側面図である。
【図３】本実施形態に係る射出成形機の平面図である。
【図４】従来のトグル式射出成形機の正面図である。
【図５】従来の油圧式射出成形機の正面図である。
【符号の説明】
７０    固定プラテン
７１    可動プラテン
７２    タイバ
７５    トグル機構
７６    トグル作動プレート
７７    クランプシリンダプレート
８０    ベース
９０    固定用フレーム
９１    垂直フレーム
９２    水平フレーム
９３    補助フレーム
９４      ウエブ
１００    射出成形機
【図１】
2005014452.tif 000003
【図２】
2005014452.tif 000004
【図３】
2005014452.tif 000005
【図４】
2005014452.tif 000006
【図５】
2005014452.tif 000007